(57)【要約】  【課題】過去試料も含め多数の病理細胞組織試料や生物学的研究細胞組織試料を診断や治療の決定や研究の為に新しく採取した試料とも含めた観察決定の為に縦横整然と配列されたテッシュアレイヤーやセルアレイヤーを作製するにおいて、従来は高価な機器を使用して熟練技術を必要としていたが、それらの機器や熟練を必要としない、縦横のインデックスが定まった試料挿入孔を配列している方形のアレイヤーゲルと前記アレイヤーを成形する容器固定ゼリーゲル化槽装置の機能性に関すること。  【解決手段】試料の包埋支持剤を種々の形状に成形できる容器でもある固定ゼリーゲル化槽装置の各パーツの機能構造の交換による種々の形状の生物試料を変形破壊することなく包埋保持させる。またこの容器固定ゼリーゲル化槽装置を使用して生物試料のアレイヤースライドを作製するアレイヤーゲルを包埋支持剤から成形する。  【選択図】図３
2006300667.tif 000002
【特許請求の範囲】
【請求項１】
底部に複数のピン孔が形成されている枠状基体と、前記枠状基体の底部に敷設され、前記枠状基体のピン孔と対応するピン孔を備えているゲル台紙と、
該枠状基体に挿入され、前記台紙を押圧するカセット型内枠と、
前記枠状基体の底部側から前記基体及びゲル台紙のピン孔に挿入されるアレイヤーピンと、
を備えたテッシュアレイヤーゲルカセット、
であることを特徴とする包埋支持剤の固定固化器具。
【請求項２】
アレイヤーピンが、複数本支持台に突設されているゲル作製ピンであることを特徴とする請求項１記載の包埋支持剤の固定固化器具。
【請求項３】
カセット型内枠に基準マークが設けられていることを特徴とする請求項１記載の包埋支持剤の固定固化器具。
【請求項４】
縦横に規則正しく生物試料の挿入孔が形成されている包埋支持剤の固化ブロック、であることを特徴とするテッシュアレイヤーゲル。
【請求項５】
包埋支持剤の固化ブロックの底部に、ゲル台紙が固定され、該ゲル台紙には生物試料の挿入孔の経度緯度を示す縦横インデックスが設けられていることを特徴とする請求項４記載のテッシュアレイヤーゲル。
【請求項６】
板状スライドを支持する底板保持器と、該板状スライドに、型枠パッキンを介して重合されるゼリーゲル化槽と、前記底板保持器と前記ゼリーゲル化槽とを締め付け固定する水密固定手段と、を備えている固定ゼリーゲル化槽装置、
であることを特徴とする包埋支持剤の固定固化器具。
【請求項７】
ゼリーゲル化槽が、ゼリーゲル化槽固定底板と基準マークの付いた筒状開口部を備えていることを特徴とする請求項６記載の包埋支持剤の固定固化器具。
【請求項８】
板状スライドが、合成樹脂スライド、又は、スライドグラスであることを特徴とする請求項６、又は、７記載の包埋器具
【請求項９】
型枠パッキンが、基準マークの付いた穴、小孔、又は、凹溝を備えていることが特徴とする請求項６、７，又は、８記載の包埋支持剤の固定固化器具。
【請求項１０】
凹状の底部を有する底板保持器と、該底板保持器に、型枠パッキンを介して重合されるセリーゲル化槽と、前記底板保持器の底部に形成されるカセット収納部と、前記底板保持器と前記ゼリーゲル化槽を締め付ける水密固定手段と、からなる固定ゼリーゲル化槽装置、
であることを特徴とする包埋支持剤の固定固化器具。
【請求項１１】
凹状の底部には、通液孔が設けられていることを特徴とする請求項１０記載の包埋支持剤の固定固化器具。
【請求項１２】
上側にゼリーゲル化槽開口部を突設するゼリーゲル化槽固定底板を形成し、その下部に液漏れ防止の型枠パッキンを配置して最下部の底板保持器底部との間で、底面に等間隔に配列された通液孔とピン孔の両方の役割を担う多孔が成形された枠状基体とその底部内側と底部に収納されるカセット型内枠とで挟持した前記底部と同様の多孔を形成したゲル台紙と枠状基体底部外側から該多孔を塞ぐように挿入されるゲル作製ピンとからなるテッシュアレイヤーゲルカセットを、水密に挟持することを特徴とする包埋支持剤の固定固化器具。
【請求項１３】
請求項１２記載の包埋支持剤の固定固化器具を用いる生物試料の支持方法であって、
テッシュアレイヤーゲルカセット開口部から包埋支持剤を注入してゲル化剤でゲル化固化して、そのゲル化した包埋支持剤が収納されている前記テッシュアレイヤーゲルカセットに蓋をし、自動固定包埋装置の脱水・脱脂・透徹・包埋剤浸透の薬液処理をしてテッシュアレイヤーゲルを作製することを特徴とする生物試料の保持方法。
【請求項１４】
上側に開口部を形成し、その下側に底面に等間隔に配列された通液孔とピン孔の両方の役割を担う多孔が成形された枠状基体と、その底部内側と底部に収納されるカセット型内枠とで挟持した前記底部と同様の多孔を形成したゲル台紙と、枠状基体底部外側から該多孔を塞ぐように挿入されるゲル作製ピンとからなる、多数の生物試料を収納することができるテッシュアレイヤーゲルを作製できる、テッシュアレイヤーゲルカセットであることを特徴とする包埋支持剤の固定固化器具。
【請求項１５】
カセット型内枠が、底面に等間隔に配列された通液孔とピン孔の両方の役割を担う多孔が成形された枠状基体や従来のカセットの多孔性底部の多孔径よりも多孔径がより小さいゲル台紙をカセット底部との間で挟持することによって、そのカセットの枠状基体内に新たにゲル台紙とカセット型内枠とで出来る台紙とカセット型内枠分だけ小型の空間を提供できることを特徴とする請求項１３記載の包埋支持剤の固定固化器具。
【請求項１６】
規則正しく縦横に配列された試料挿入孔を装備して硬化可能なゲル剤でゲル化固化させて、目的の生物試料を縦横規則正しく配列させた試料挿入孔に挿入収納して包埋ブロックを作製できることを特徴とするテッシュアレイヤーゲル。
【請求項１７】
上側にゼリーゲル化槽開口部を突設するゼリーゲル化槽固定底板を形成し、その下部に液漏れ防止の型枠パッキンを配置して最下部の底板保持器底部との間で、テッシュアレイヤーゲルカセットと異なる従来のカセットとカセット型内枠とそれらに挟持されたゲル台紙の中に収集または収納された種々の形状の生物試料を、カセットとゲル台紙とカセット型内枠の作る空間に包埋支持剤を注入してゲル化剤で試料と一緒にゲル化固化して、それら形状を破壊したり、直接に触れることなく目的の方向に薄切して標本作製することができることを特徴とする生物試料の保持方法。
【請求項１８】
上側にゼリーゲル化槽開口部を突設するゼリーゲル化槽固定底板を形成し、その下部に液漏れ防止の型枠パッキンを配置して最下部の底板保持器底部との間で、合成樹脂スライドを水密に挟持してゼリーゲル化槽容器の底部として、その型枠パッキンと合成樹脂スライドで形成された試料の収納部に収集または収納された種々の形状の生物試料を、合成樹脂スライド上で包埋支持剤を滴下してゲル化剤で試料と一緒にゲル化固化して、それら形状を破壊したり、直接に触れることなく目的の方向に薄切して標本作製することができることを特徴とする生物試料の保持方法。
【請求項１９】
種々の形状の生物試料が、脆弱希薄な膜状試料、糸状棒状の生物試料、鉗子生検、又は、微細小型の生物試料であることを特徴とする請求項１７、又は、１８記載の生物試料の保持方法。
【請求項２０】
上側にゼリーゲル化槽開口部を突設するゼリーゲル化槽固定底板を形成し、その下部に液漏れ防止の型枠パッキンを配置して最下部の底板保持器底部との間で、スライドグラスを水密に挟持してゼリーゲル化槽容器の底部として、その型枠パッキンとスライドグラスで形成された試料の収納部に微細試料を収集または収納して固定することを特徴とする生物試料の保持方法。
【発明の詳細な説明】
【技術分野】
【０００１】
この発明は、患者や生命体から採取した生物試料（細胞組織塊試料）を、目的の形状や位置に設置及び保持するために用いられる、包埋支持剤の固定固化容器及び生物試料の保持方法並びにテッシュアレイヤーゲルに関するものであり、更に述べると、医師や生命科学者が病気の診断や治療を決める為、または生命の研究ために、患者や生命体から採取した細胞組織塊試料を薄切染色標本にして、それを医療または研究のデータとして役立てるまでの間における病理組織試料の管理システムの中で用いる、包埋支持剤の固定固化器具及び生物試料の保持方法並びにテッシュアレイヤーゲルに関する。
【背景技術】
【０００２】
従来、患者から採取された生物試料は、包埋支持剤で固定支持された状態で搬送されたり保管されたり、薄切りされたりしている（例えば、特許文献１、２、３参照）。
【０００３】
【特許文献１】特開平０８−２１１０４７号公報
【特許文献２】特開２０００−２６６７４４号公報
【特許文献３】特開２００４−１２５６３１号公報
【０００４】
従来、複数の病理診断または研究用細胞組織試料を薄切りして標本作製した、既知のデータ試料や重要または希少試料の組織試料のブロック試料の重要部位を、管状器具（needle）のボーリング採取等で取り出して、それらを順次縦横に纏めて配列して一つのブロック試料として作製し直す、所謂テッシュアレイ（Tissue Array）が行われているが、このテッシュアレイでは、組織試料の配列を確実に正しく実行包埋しなくてはならない。そこで、その組織試料の配列の緯度経度決定を正しく行わなければならないが、その決定は、専用の機械で行うか、金属または合成樹脂製の専用ガイドで実施している。
【０００５】
従来、各患者からの試料や研究用の生物から採取された試料の中で、非常に脆弱な組織や希薄な組織を薄切して標本作製している。この標本は、濾紙やスポンジ等で試料を挟み込んで保護し、脱水・脱脂・透徹・透徹剤浸透の薬液処理をし、その後包埋時に包埋皿底部上に薄切面に合わせて前記脆弱な組織や希薄な組織を並べて載せることにより作製している。
【発明の開示】
【発明が解決しようとする課題】
【０００６】
従来例の標本作製方法では、前記組織試料の円柱状試料を複数個縦横の間隔を整然と配列し、検査薄切面を下に向け、包埋皿上に立てて包埋することは、非常な熟練と集中した作業が必要であり、作業能率が悪く、多くの作業時間が必要であった。又、包埋剤であるパラフィン等が完全に熔融していると、配列した円柱状試料が包埋皿上で倒れ、配列が崩れたりする。
更に、複数の円柱状試料と新しい包埋剤（パラフィン等）の融解馴染が悪いと、薄切時に円柱状試料が周囲の包埋剤から捲れ分離し、薄切標本作製が不良になる。
【０００７】
又、各患者からの試料や研究用の生物から採取された試料の中で、非常に脆弱な組織や希薄な組織をどの方向にも確実に薄切して標本作製することは、従来の標本作製技術では、限界があり完全な標本を作製することは不可能であった。
濾紙やスポンジ等を用いた前記標本作成方法では、生物試料の多くは、既に薬液処理時に濾紙やスポンジ上でその形状を歪め破壊されていたり、包埋時にピンセット等に因って形状を壊していた。
【０００８】
従来は、各患者や研究用生物から採取された鉗子生検（punch biopsy）や針生検（needle biopsy）を、その採取場所や順序の配列順に薄切向きを固定して脆弱な組織を破壊することなく、確実に支持して標本作製をすることは出来なかった。
【０００９】
従来は、各患者や研究用生物から採取され、通常のカセットのみでは保持固定することが不可能であった生検組織よりも非常に小さい細胞や蛋白質または遺伝子情報を、保持して配列した標本を作製することは出来なかった。
【００１０】
この発明は、上記課題を解決することを目的とする。即ち、
上述の様な各患者や研究用生物から採取された脆弱な形状や包埋位置の保持固定を確実に維持できる包埋支持剤の性状とその包埋技術は、従来は標本に作製することが不可能であった試料の包埋位置を、確実に保持固定をすることが出来るようにすることを目的とする。例えば各患者や研究用生物のブロック試料からボーリングされて刳り貫かれたデータ用組織試料の収納配列される穴を、縦横に規則正しく配列して包埋剤（パラフィン等）を確実に浸透して使用目的に合う適度の大きさと形状に固められている包埋支持剤から成形された、「テッシュアレイヤーゲル」の発明により前記課題は解決される。
【００１１】
この前記配列された挿入孔内に前記各患者や研究用生物のブロック試料からボーリングされて刳り貫かれたデータ用組織試料を、検査薄切面を下側にして収納し包埋皿内に設置して、該包埋皿内の包埋剤（パラフィン等）を改めて完全に熔融させ、前記包埋支持剤と前記配列された挿入孔内全ての前記データ用組織試料の包埋剤（パラフィン等）を一体として馴染ませて包埋し直し、複数のデータ組織試料を縦横に規則正しく配列させた一個のブロック試料(block of tissue array)とすることであり、その為の「テッシュアレイヤーゲル」を作製することを目的とする。
【００１２】
この発明のもう一つの目的は、各患者や研究用生物から採取した生検試料を含む細胞組織試料の採取時の形状を維持して、例えば脆弱な形状や希薄な形状や糸状棒状な試料を其のままの形状で保持固定して、目的に応じて薄切方向を決めて標本作製をすることである。
【００１３】
更にまた、既に発明者が発明出願しているＶ字谷収納法であるが、上述の包埋支持剤の性状を、試料の位置固定に応用して複数の生検試料を一纏めにして紛失や混入を防止して、且つ前記複数の生検試料の薄切面の一面統一化に利用できて、大小の複数の鉗子生検の各々の生検試料の最大面積に合わせて統一した薄切検査面を決定することである。
【００１４】
またその上に、前記包埋支持剤のこれらの性状を利用して、生検組織よりも小さい細胞や蛋白質または遺伝子情報を保持配列したブロック試料を作製することである。
【００１５】
前記目的を達成するために、生物試料を保持固定する包埋支持剤と、前記生物試料を固定して該生物試料を保持固定する前記包埋支持剤をゲル化凝固させる容器と方法、が必要である。そこで、本発明者は、鋭意研究実験の結果、包埋支持剤の固定固化容器及び生物試料の保存方法並びにテッシュアレイヤーゲルを開発するに至った。
【課題を解決するための手段】
【００１６】
この発明は、底部に複数のピン孔が形成されている枠状基体と、前記枠状基体の底部に敷設され、前記枠状基体のピン孔と対応するピン孔を備えているゲル台紙と、該枠状基体に挿入され、前記台紙を押圧するカセット型内枠と、前記枠状基体の底部側から前記基体及びゲル台紙のピン孔に挿入されるアレイヤーピンと、を備えたテッシュアレイヤーゲルカセット、であることを特徴とする包埋支持剤の固定固化器具、である。この発明のアレイヤーピンが、複数本支持台に突設されているゲル作製ピンであることを特徴とする。この発明のカセット型内枠に基準マークが設けられていることを特徴とする。
【００１７】
この発明は、縦横に規則正しく生物試料の挿入孔が形成されている包埋支持剤の固化ブロック、であることを特徴とするテッシュアレイヤーゲル、である。この発明の包埋支持剤の固化ブロックの底部に、ゲル台紙が固定され、該ゲル台紙には生物試料の挿入孔の経度緯度を示す縦横インデックスが設けられていることを特徴とする。
【００１８】
この発明は、板状スライドを支持する底板保持器と、該板状スライドに、型枠パッキンを介して重合されるゼリーゲル化槽と、前記底板保持器と前記ゼリーゲル化槽とを締め付け固定する水密固定手段と、を備えている固定ゼリーゲル化槽装置、であることを特徴とする包埋支持剤の固定固化器具、である。この発明のゼリーゲル化槽が、ゼリーゲル化槽固定底板と基準マークの付いた筒状開口部を備えていることを特徴とする。この発明の板状スライドが、合成樹脂スライド、又は、スライドグラスであることを特徴とする。この発明の型枠パッキンが、基準マークの付いた穴、小孔、又は、凹溝を備えていることが特徴とする。
【００１９】
この発明は、凹状の底部を有する底板保持器と、該底板保持器に、型枠パッキンを介して重合されるセリーゲル化槽と、前記底板保持器の底部に形成されるカセット収納部と、前記底板保持器と前記ゼリーゲル化槽を締め付ける水密固定手段と、からなる固定ゼリーゲル化槽装置、であることを特徴とする包埋支持剤の固定固化器具、である。この発明の凹状の底部には、通液孔が設けられていることを特徴とする。
【００２０】
この発明は、上側にゼリーゲル化槽開口部を突設するゼリーゲル化槽固定底板を形成し、その下部に液漏れ防止の型枠パッキンを配置して最下部の底板保持器底部との間で、底面に等間隔に配列された通液孔とピン孔の両方の役割を担う多孔が成形された枠状基体とその底部内側と底部に収納されるカセット型内枠とで挟持した前記底部と同様の多孔を形成したゲル台紙と枠状基体底部外側から該多孔を塞ぐように挿入されるゲル作製ピンとからなるテッシュアレイヤーゲルカセットを、水密に挟持することを特徴とする包埋支持剤の固定固化器具、である。
【００２１】
この発明は、上側にゼリーゲル化槽開口部を突設するゼリーゲル化槽固定底板を形成し、その下部に液漏れ防止の型枠パッキンを配置して最下部の底板保持器底部との間で、底面に等間隔に配列された通液孔とピン孔の両方の役割を担う多孔が成形された枠状基体とその底部内側と底部に収納されるカセット型内枠とで挟持した前記底部と同様の多孔を形成したゲル台紙と枠状基体底部外側から該多孔を塞ぐように挿入されるゲル作製ピンとからなるテッシュアレイヤーゲルカセット、を用いる生物試料の支持方法であって、テッシュアレイヤーゲルカセットの開口部から包埋支持剤を注入してゲル化剤でゲル化固化して、そのゲル化した包埋支持剤が収納されている前記テッシュアレイヤーゲルカセットに蓋をし、自動固定包埋装置の脱水・脱脂・透徹・包埋剤浸透の薬液処理をしてテッシュアレイヤーゲルを作製することを特徴とする生物試料の保持方法、である。
【００２２】
この発明は、上側に開口部を形成し、その下側に底面に等間隔に配列された通液孔とピン孔の両方の役割を担う多孔が成形された枠状基体と、その底部内側と底部に収納されるカセット型内枠とで挟持した前記底部と同様の多孔を形成したゲル台紙と、枠状基体底部外側から該多孔を塞ぐように挿入されるゲル作製ピンとからなる、多数の生物試料を収納することができるテッシュアレイヤーゲルを作製できる、テッシュアレイヤーゲルカセットであることを特徴とする包埋支持剤の固定固化器具、である。この発明のカセット型内枠が、底面に等間隔に配列された通液孔とピン孔の両方の役割を担う多孔が成形された枠状基体や従来のカセットの多孔性底部の多孔径よりも多孔径がより小さいゲル台紙をカセット底部との間で挟持することによって、そのカセットの枠状基体内に新たにゲル台紙とカセット型内枠とで出来る台紙とカセット型内枠分だけ小型の空間を提供できることを特徴とする。
【００２３】
この発明は、規則正しく縦横に配列された試料挿入孔を装備して硬化可能なゲル剤でゲル化固化させて、目的の生物試料を縦横規則正しく配列させた試料挿入孔に挿入収納して包埋ブロックを作製できることを特徴とするテッシュアレイヤーゲル、である。
【００２４】
この発明は、上側にゼリーゲル化槽開口部を突設するゼリーゲル化槽固定底板を形成し、その下部に液漏れ防止の型枠パッキンを配置して最下部の底板保持器底部との間で、テッシュアレイヤーゲルカセットと異なる従来のカセットとカセット型内枠とそれらに挟持されたゲル台紙の中に収集または収納された種々の形状の生物試料を、カセットとゲル台紙とカセット型内枠の作る空間に包埋支持剤を注入してゲル化剤で試料と一緒にゲル化固化して、それら形状を破壊したり、直接に触れることなく目的の方向に薄切して標本作製することができることを特徴とする生物試料の保持方法、である。
【００２５】
この発明は、上側にゼリーゲル化槽開口部を突設するゼリーゲル化槽固定底板を形成し、その下部に液漏れ防止の型枠パッキンを配置して最下部の底板保持器底部との間で、合成樹脂スライドを水密に挟持してゼリーゲル化槽容器の底部として、その型枠パッキンと合成樹脂スライドで形成された試料の収納部に収集または収納された種々の形状の生物試料を、合成樹脂スライド上で包埋支持剤を滴下してゲル化剤で試料と一緒にゲル化固化して、それら形状を破壊したり、直接に触れることなく目的の方向に薄切して標本作製することができることを特徴とする生物試料の保持方法、である。この発明の種々の形状の生物試料が、脆弱希薄な膜状試料、糸状棒状の生物試料、鉗子生検、又は、微細小型の生物試料であることを特徴とする。
【００２６】
この発明は、上側にゼリーゲル化槽開口部を突設するゼリーゲル化槽固定底板を形成し、その下部に液漏れ防止の型枠パッキンを配置して最下部の底板保持器底部との間で、スライドグラスを水密に挟持してゼリーゲル化槽容器の底部として、その型枠パッキンとスライドグラスで形成された試料の収納部に微細試料を収集または収納して固定することを特徴とする生物試料の保持方法、である。
【発明の効果】
【００２７】
この発明では、生物試料を配置する複数の挿入孔（支持穴）を備えた、テッシュアレイヤーゲル（組織整列包埋支持剤）を容易に作製することができる。又、前記テッシュアレイヤーゲルを用いることにより、生物試料の円柱試料を複数個縦横の間隔を整然と配列し、検査薄切面を下に向け、包埋皿上に立てて容易に包埋することができる。従って、従来のように専用の機械や金属又は合成樹脂の専用ガイドを用いる必要がないので、従来例に比べ、テッシュアレイヤー作業が容易となり、作業能率も向上する。
【００２８】
各患者からの試料や研究用の生物から採取された試料の中で、非常に脆弱な組織や希薄な組織をどの方向からも確実に標本作製することができる。
【００２９】
各患者や研究用生物から採取された鉗子生検試料や針生検試料を、その採取場所や順序の配列順に薄切向きを固定して脆弱な組織を破壊することなく、確実に支持して標本作製をすることができる。
【００３０】
各患者や研究用生物から採取された、通常のカセットのみでは保持固定することが不可能であった、生検組織よりも非常に小さい細胞や蛋白質または遺伝子情報を、保持して配列した標本を作製することができる。
【発明を実施するための最良の形態】
【００３１】
この発明は、本件発明者が既に出願している、特願平１１−７６８４３号（特開２０００−２６６７４４）の包埋支持剤の性状を、如何に統一的に使用して医療の診断及び治療方針の決定の為の病理学的検査診断や生物学的研究の為の手段として役立てる為に発明されたものである。
【００３２】
この発明は、上側にゼリーゲル化槽開口部を突設するゼリーゲル化槽固定底板を形成し、その下部に液漏れ防止の型枠パッキンを配置して最下部の底板保持器底部との間で、底面に等間隔に配列された通液孔とピン孔の両方の役割を担う多孔が成形されたカセット枠状基体とその底部内側と底部に収納されるカセット型内枠とで挟持した前記底部と同様の多孔を形成したテッシュアレイヤーゲル台紙（以下、「ゲル台紙」という）と枠状基体外側から該多孔を塞ぐように挿入されるテッシュアレイゲル作製ピン以下、「ゲル作製ピン」という）とからなるテッシュアレイヤーゲルカセット（以下、「ゲルカセット」という）と、を水密に挟持する。
【００３３】
この状態で、ゲルカセットの開口部から包埋支持剤を注入してゲル化剤でゲル化固化し、そのゲル化した包埋支持剤が収納されているゲルカセットを蓋して自動固定包埋装置の脱水・脱脂・透徹・包埋剤浸透の薬液処理をし、テッシュアレイヤーゲルを作製する。この発明は、ゼリーゲル化槽固定底板と最下部の底板保持器底部との間で挟持されるゲルカセットとの水密性を高める役割の型枠パッキンとに代表されるゼリーゲル化槽装置（容器）と包埋支持剤をゲル化させて作製するテッシュアレイヤーゲル作製法とテッシュアレイヤーゲル、である。
【００３４】
この発明は、上側に開口部を形成し、その下側に底面に等間隔に配列された通液孔とピン挿入孔の両方の役割を担う多孔が成形された枠状基体とその底部内側と底部に収納されるカセット型内枠とで挟持した前記底部と同様の多孔を形成したゲル台紙と、枠状基体底部外側から該多孔を塞ぐように挿入されるゲル作製ピンと、からなる多数の生物試料を収納することができるテッシュアレイヤーゲルを作製できる、テッシュアレイヤーゲルカセットにも使用できて、又、独立しても使用可能なテッシュアレイヤーゲルカセット、である。
【００３５】
この発明は、底面に等間隔に配列された通液孔とピン孔の両方の役割を担う多孔が成形されたカセット枠状基体や従来のカセットの多孔性底部の多孔径よりも多孔径がより小さいゲル台紙をカセット底部との間で挟持することによって、そのカセットの枠状基体内に新たに台紙とカセット型内枠とで出来る台紙とカセット型内枠分だけ小型の空間を提供できるカセット型内枠、を備えている。
【００３６】
この発明のゲルカセットは、規則正しく縦横に配列された試料挿入孔を装備して硬化可能なゲル剤でゲル化固化させて、目的の生物試料を縦横規則正しく配列させた試料の挿入孔に挿入収納して包埋ブロックを作製できる。
【００３７】
この発明は、上側にゼリーゲル化槽開口部を突設するゼリーゲル化槽固定底板を形成し、その下部に液漏れ防止の型枠パッキンを配置して最下部の底板保持器底部との間で、ゲルカセットの代わりに、他の従来のカセットとカセット型内枠とそれらに挟持されたゲル台紙の中に収集または収納された種々の形状 （EMR試料や鶏胚や培養細胞群等脆弱希薄な膜状試料や針穿刺生検等糸状棒状の生物試料や鉗子生検または細胞試料等の微細小型の生物試料）の生物試料を、カセットとゲル台紙とカセット型内枠の作る空間に包埋支持剤を注入し、ゲル化剤で試料と一緒にゲル化固化し、それら形状を破壊したり、直接に触れることなく目的の方向に薄切して標本作製することができるゲルカセットと固定ゼリーゲル化槽装置（容器）、である。
【００３８】
この発明は、上側にゼリーゲル化槽開口部を突設するゼリーゲル化槽固定底板を形成し、その下部に液漏れ防止の型枠パッキンを配置して最下部の底板保持器底部との間で、カセットの代わりに、合成樹脂スライドを水密に挟持してゼリーゲル化槽容器の底部として、その型枠パッキンと合成樹脂スライドで形成された試料の収納部に収集または収納された種々の形状 （EMR試料や鶏胚や培養細胞群等脆弱希薄な膜状試料や針穿刺生検等糸状棒状の生物試料や鉗子生検または細胞試料等の微細小型の生物試料）の生物試料を 合成樹脂スライド上で包埋支持剤（Hold Gel）を滴下してゲル化剤で試料と一緒にゲル化固化して、それら形状を破壊したり、直接に触れることなく目的の方向に薄切して標本作製することができる固定ゼリーゲル化槽装置である。
【００３９】
この発明は、上側にゼリーゲル化槽開口部を突設するゼリーゲル化槽固定底板を形成し、その下部に液漏れ防止の型枠パッキンを配置して最下部の底板保持器底部との間で、合成樹脂スライドの代わりに、スライドグラスを水密に挟持してゼリーゲル化槽容器の底部として、その型枠パッキンとスライドグラスで形成された試料の収納部に微細試料を収集または収納して固定できる固定ゼリーゲル化槽装置、である。
【実施例】
【００４０】
この発明の第１実施例を図１〜図４により説明するが、まず初めに本発明の実施に用いられる、包埋支持剤の固定固化器具（装置）について説明し、次に、前記固定固化器具（容器）を使用して各種の生物試料（円柱状試料、希薄試料、針生検試料、など）を包埋支持する場合について説明する。
【００４１】
包埋支持剤の固定固化器具として、固定ゼリーゲル化槽装置（容器）１００とアレイヤーゲルカセット（容器）１２０が用いられるので、以下これらの器具１００、１２０についてついて順次説明する。
固定ゼリーゲル化槽装置：
まず、基本型の固定化ゼリーゲル化槽装置１００について説明する。
図１に示すように、固定化ゼリーゲル化槽装置１００は、ゼリーゲル化槽固定底板１aに立設されたゼリーゲル化槽１と、該ゼリーゲル化槽固定底板１ａの下面に当接する型枠パッキン２と、該型枠パッキン２の下面に当接する板状スライド３と、前記固定底板１ａ、型枠パッキン２及び前記スライド３を保持する底板保持器５と、を備えている。
【００４２】
図１，図２（Ｂ）に示すように、ゼリーゲル化槽１は、ゼリーゲル化槽開口部１ｃを有する筒状体であり、ゼリーゲル固定底板１ａの中央部に設けられている。該ゼリーゲル化槽１の左上隅は、面取部となっており、該面取部は方向性を判断するための基準マーク１ｂとなっている。このゼリーゲル化槽１の形状、大きさ、高さ等は、必要に応じて適宜選択され、例えば、平面図が長方形、円形などが採用される。又、ゼリー化槽１の配設位置も必要に応じて適宜選択され、例えば、固定ばね基点９側に配設される。  前記固定底板１ａは、長方形状の板体であり、ゼリーゲル化槽１のフランジ部をなしている。
【００４３】
図２（Ｃ）に示すように、型枠パッキン２は、長方形状の板体であり、シリコンや合成樹脂で形成されている。このパッキン２は、前記固定底板１ａと同じ大きさに形成され、前記開口部１ｃと同形の穴２Ａが設けられている。なお、このパッキンの形状、大きさ、厚さ等は必要に応じて適宜選択される。
【００４４】
図２（Ｄ）に示すように、板状スライド３は、長方形状の平板であり、前記型枠パッキン２と同じ大きさに形成されている。このスライド３として、合成樹脂スライド、スライドグラス等が採用される。又、前記スライド３の、型枠パッキン２の穴２Ａに対応する部分に、凹溝を設けても良い。このスライドの厚さ、大きさ等は必要に応じて適宜選択される。
【００４５】
図２（Ｅ）に示すように、底板保持器５の底部５Aは、前記合成樹脂スライド３と同一の長方形状に形成され、その一端側には、半円状の指掛部５ａが設けられ、その両側縁には、底板保持器側壁部６が立設されている。前記側縁上端面の基端部には、ゼリーゲル化槽固定ばね８を固定する固定ばね基点９と、該ばね８を係止する固定ばね掛け止め部１０とが設けられている。７はスライド位置調整部である。なお、固定ばね８は、Ｕ字状に形成されている。
【００４６】
図２（Ａ）に示すように、蓋４は、ゼリーゲル化槽開口部１ｃに対応する形状の蓋本体４ａと、該蓋本体４ａと連続し、ゼリーゲル化槽１に嵌着される筒状側壁４ｂとから構成されている。
【００４７】
変形例：
基本型の固定ゼリーゲル化槽装置１００は、必要に応じて適宜変更され、例えば、次のようにゼリーゲル化槽、底板保持器等が変更される。以下、図面に基づいて他の実施例を説明するが、図１、図２と同一図面符号は、その名称も機能も同一である。
（１）図５（Ａ）に示す実施例
図５（Ａ）に示す実施例では、合成樹脂スライド３の、開口部１ｃと対向する部分に凹部３ａを形成するとともに、底板保持器５の底部５Ａを凹状にしてカセット収納部５ｂを形成している。この底部５Ａには、通液孔５ｃが設けられている。この通液口５ｃは、後述するゲル作製ピンを、所定の場所にカセット収納後に、後述するゲル作製ピンを、底板保持器底部５Ａの外側から挿入セットすることを可能とする。なお、の実施例において、前記合成樹脂スライド３の代わりに、凹部３ａの無い合成樹脂スライドを用いることもできる。
【００４８】
（２）図５（Ｂ）に示す実施例
図５（Ｂ）に示す実施例では、型枠パッキン２の穴２Ａを、格子状のスリット、又は、複数の小孔２ｂにするとともに、底板保持器５の底部５Ａを凹状にしてカセット収納部５ｂを形成している。この底部５Ａには、複数の通液孔５ｄが設けられている。スライドとして、合成樹脂スライドの代わりに、スライドガラス５７が用いられている。なお、この実施例において、スライドガラス５７の代わりに、合成樹脂スライド３を用いることもできる。
（３）図６に示す実施例
図６（Ａ）に示す実施例では、ゼリーゲル化槽１の内壁に、中央部下方に向かって傾斜する傾斜板を設け、これを基準マーク１ｂの代用にすると共に、該傾斜板の頂部により、カセット蓋１４ａを支持する。なお、型枠パッキン２の穴２Ａを前記実施例のように格子状のスリット、又は、複数の小孔にしたり、底板保持器の底部に複数の液通孔を形成しても良い。
図６（Ｂ）に示す実施例では、底部５Ａに他の型枠２ｃを装着し、該型枠２ｃ内にカセット収納部５ｂを設け、該カセット収納部５ｂにスタンダードカセット１１ａを収納したものである。この実施例では、型枠パッキン２又はスライド３を厚くしてカセット底部の大きさの溝を形成している。
【００４９】
（４）図７に示す実施例
図７に示す実施例では、ゼリーゲル化槽１を漏斗状に形成すると共に、該ゼリーゲル化槽１のコネクタ部１ｅを固定底板１ａのコネクタ部１ｆに嵌着し、着脱可能にする。なお、ゼリーゲル化槽１の内壁１ｈに発生する段部を利用して、該段部にカセット蓋を係止させたり、又は、テッシュアレイヤーカセット１２０を載置することもできる。
（５）図８に示す実施例
図８に示す実施例では、円筒状のゼリー化槽１の下端部に係止部材１ｊを突設し、底板保持器５に左右一対の係止爪１ｋを設ける。前記ゼリーゲル化槽１を回して前記係止部材１ｊを前記係止爪１ｋに係止させることにより、両者１、３を着脱可能に固定する。
【００５０】
（６）図９に示す実施例
図７に示す実施例では、底板保持器５の短辺側に側壁６を形成し、底板保持器５の底板５Ａとゼリーゲル化槽１の固定底板１ａを、一対の挟持部材８ａで挟み、該両挟持部材８ａの端部をボルト８ｂで締め付けて固定する。この一対の挟持部材８ａは、前記底板５Ａ、１ａの左右両端側に配設される。
【００５１】
（７）図１０に示す実施例
図１０に示す実施例では、底板保持器５の左短辺側と奧の長辺側とに側壁６を形成し、底板保持器５の底板５Ａとゼリーゲル化槽の固定底板１ａを、Ｕ字状に形成された挟み部材１０ａで挟持する。この挟み部材１０ａは、前記底板１ａ，５Ａの側面から挿入される。該挟持部材１０ａの先端部には、押圧円板１０ｂが設けられており、該押圧円板１０ｂはねじ１０ｃにより上下動し、位置の調整が行われる。
【００５２】
（８）図１１に示す実施例
図１１に示す実施例では、ゼリーゲル化槽１は円筒状に形成され、該ゼリーゲル化槽１は、円筒状の底板保持器５に螺着されている。型枠パッキン２及び合成樹脂スライド３は、底板保持器５の中腹に形成した挿入口５Ｍに挿入支持されている。
【００５３】
テッシュアレイヤーゲルカセット：
次に、基本型のテッシュアレイヤーゲルカセット１２０について説明する。
図３（Ａ）（Ｂ）に示すように、テッシュアレイヤーゲルカセット（以下、「ゲルカセット」という）１２０は、テッシュアレイヤーゲルカセットの枠状基体（以下、「枠状基体」という）１４と、該基体１４の底部１４Ａに装着されるテッシュアレイヤーゲル台紙（以下、「ゲル台紙」という）１３と、前記基体１４に装着され、前記ゲル台紙１３を押圧するカセット型内枠（以下、「内枠」という）１２と、前記枠状基体１４の底部１４Ａから差し込まれるテッシュアレイヤーゲル作製ピン（以下、「ゲル作製ピン」という）１５と、を備えている。
【００５４】
図４（Ａ）（Ｂ）に示すように、前記内枠１２は、方形状の筒体であり、その左下隅には、方向性を判断するためのゲル基準マーク１２ａが設けられ、その外側には、内枠取出口１２ｂが設けられている。
【００５５】
図４（Ｃ）（Ｄ）に示すように、前記台紙１３は、方形状の平板体に形成され、規則正しく縦横に配列された複数のピン孔１３ｐが設けられている。該台紙１３には、インデックス２６が設けられている。このインデックス２６は、上辺側に設けられた、経度を示す数字０〜９と、その左辺側に設けられた、緯度を示すアルファベットａ〜ｈから構成されている。前記数字やアルファベットは、必要に応じて適宜増減される。
【００５６】
図４（Ｅ）（Ｆ）に示すように、前記基体１４は、枠状基体であり、側壁１４ｂに囲まれた底部１４Ａと、該側壁１４ｂに連続する傾斜壁１４ｃとを備えている。前記底部１４Ａは、方形状に形成され、規則正しく縦横に配列された複数のピン孔１４ｐが設けられている。このピン孔１４ｐは、前記台紙１３のピン孔１３ｐと対応している。
【００５７】
図４（Ｇ）（Ｈ）に示すように、前記作製ピン１５は、方形状の支持台１５ａと、該支持台１５ａに突設された円柱状のアレイヤーピン１５ｐと、を備えている。前記ピン１５ｐは、規則正しく縦横に配列され、前記ピン孔１３ｐ、１４ｐに対応しており、該ピン１５ｐの径は、前記ピン孔１３ｐ、１４ｐに嵌合できる大きさに形成されている。ピン１５ｐの長さは、基体１４の側壁１４ｂの高さに底部１４Ａの厚さを加えた長さにほぼ形成されている。前記ピン１５ｐの長さ、径、数、配設位置、配設間隔等は、必要に応じて適宜され選択される。なお、各アレイヤーピン１５ｐは、一個の支持台に固定する代わりに、互いに別個独立にしたり、又は、支持台を、例えば、４分割し、各分割支持台にアレイヤーピンを突接しても良い。
【００５８】
変形例：
このゲルカセット１２０は、必要に応じて適宜変更され、例えば、次のように変更される。この変型例（実施例）を示す図１２、図１３において、前記各図と同一図面符号は、その名称も機能も同一である。
この実施例では、ゲル基準マーク１２ａを内枠１２の左上隅に設け、前記基体１４の底部１４Ａには、ピン孔の代わりに貫通穴１４Ｈが設けられ、前記作製ピン１５の高さｈは側壁１４の高さｈとほぼ同一に形成されている。従って、前記ピン１５ｐを前記基体１４の底部１４Ａ側から貫通穴１４Ｈに挿入してセットすると、図１２（Ａ）（Ｂ）に示すように、前記基体１４の底部１４Ａ下面と前記ピン１５の支持台１５ａの下面は、同一平面状に位置することになる。
【００５９】
次に、前記器具１００，１２０を用いて、円柱状の生物試料を固定包埋支持する場合について説明する。
ゲルカセット１２０のセッテング：
基体１４の底部１４Ａにゲル台紙１３を載置し、該基体１４の側壁１４ｂに沿って内枠１２を挿入して該台紙１３を押圧する。この時、基体１４のピン孔１４ｐと台紙１３のピン孔１３ｐとは互いに芯合わせされている。
【００６０】
作製ピン１５のピン１５ｐを、図３（Ａ）（Ｂ）に示すように、枠状基体１４の底部１４Ａのピン孔１４ｐに差し込み、セッテングする。
【００６１】
このセッテングされたゲルカセット１２０を、図１４（Ａ）に示すように、固定ゼリーゲル化槽装置１００のカセット収納部５ｂに装着し、底板保持器５に型枠パッキン２、ゼリーゲル化槽１の固定底板１ａを順次被せ、固定化槽固定ばねの自由端側を固定ばね掛止め部１０に係止させる。これにより、固定底板１ａは下方に押圧されるので、該固定底板１ａと底板保持器５は水密に保持される。
【００６２】
なお、この実施例では、カセット収納部５ｂの浅い底板保持器５を用いているので、ゲルカセット１００が底板保持器５の上面より突出し、段差が発生している。そのため、厚さの異なる２枚の型枠パッキン２，２を使用して段差に対応しているが、底板保持器のカセット収納部が深いもの（図１４（Ｂ）参照）を用いれば、段差が無くなるので、基本型の固定ゼリーゲル化槽装置１００の型枠パッキンで足りることは勿論である。
【００６３】
図１４（Ａ）に示すように、ゼリーゲル化槽１の開口部１ｃから固定包埋支持剤１９を滴下注入する。この固定包埋支持剤１９として、本件発明者の開発したグルコマンナンの修飾誘導体からなる生物試料の定着支持剤が用いられる。この定着支持剤は、こんにゃく芋の製粉を希硝酸、又は、酸化剤で酸化溶解したグルコマンナンを濾過し、アルコール中で析出凝集及び沈殿させて回収したものから製造される。この定着支持剤については、特開２０００−２６６７４４に開示されているので、詳細な説明は省略する。なお、前記固定包埋支持剤は、前記に限定されるものではなく、他の固定包埋支持剤を用いることができることは勿論である。
【００６４】
固定包埋支持剤１９充填後、前記開口部１ｃから固定ゲル剤１７を静かに注ぎ込み溜める。すると、固定包埋支持剤１９がゲル化固化してテッシュアレイヤーゲル（「以下、「アレイヤーゲル」という」）１９ａの原型ができる。
【００６５】
この時、図１５に示すように、固定包埋支持剤１９を固定ゲル化剤 １７でゲル化固化するのには、固定ゲル化剤 １７をゼリーゲル化槽 １内に注ぎ入れるのみではなくて、固定ゼリーゲル化槽装置１００全体を、固定容器１６に充填されている固定ゲル化剤 １７に漬ける方が、固定ゲル化剤１７のゲル化固化が早く綺麗にできる。しかし、この方法では、ゲルカセット１２０内の固定包埋支持剤１９の上面開放面が安定固化した後、固定ゲル化剤 １７に浸漬させるほうが良い。
【００６６】
また、固定ゼリーゲル化槽装置１００を利用せずに、該ゲルカセット１２０に直接、固定包埋支持剤１９を注入して、該ゲルカセット１２０全体を固定ゲル化剤 １７の中に漬けて、固定包埋支持剤１９をゲル化固化し、アレイヤーゲル１９ａの原型を作製することも可能である。しかし、この方法では、合成樹脂のゲルカセット部品のみでは比重が低く、固定ゲル化剤 １７内で安定しないので、綺麗にゲル化固化するのには熟練がいる。
【００６７】
また、図示はしていないが、皿状の容器に固定包埋支持剤１９を注入して、その上側から作製ピン１５を立て、その全体を固定ゲル化剤１７に浸漬してアレイヤーゲルの原型 を作製することも考えられる。しかし、この方法では、固定包埋支持剤１９ が固定ゲル化剤１７に触れる面積も少なく、ゲル化固化時間が長くなり、アレイヤーゲル１９ａの薄切検査面を均一に平坦にすることにも困難性が生じる。
【００６８】
この様にして作製されたアレイヤーゲル１９ａの原型を、ゲルカセット１４の底部１４Ａの内枠１２と台紙１３の中に収納したまま、作製ピン１５を抜き取るとともに、図１６に示すように、基体１４にカセット蓋１４ａをする。この状態で、前記原型を脱水・脱脂・透徹・包埋剤浸透等の薬液処理した後、前記カセット蓋１４ａを外し、図１７（Ａ）に示すように、ピンセット１８で内枠取出口１２ｂを摘んで、包埋剤３０の浸透したアレイヤーゲル１９ｃを取り出す。このように内枠１２を挟持するので、アレイヤーゲル１９ｃが変形したり、破損することがない。
【００６９】
取り出されたアレイヤーゲル１９ｃには、複数の組織試料の挿入孔１９ｂが縦横に規則正しく形成されている。このゲル１９ｃは、図１７(A)に示すように、内枠１２が付いているが、図１７（Ｂ）に示す様に、内枠を外した状態も保存することができる。
【００７０】
生物試料の包埋：
図１８（Ａ）に示すように、多くの試料ブロック（細胞組織試料ブロック） ２０は、それぞれ包埋剤３０により包埋されている。これらの試料ブロック２０から、図１８（Ａ）（Ｂ）に示すように、スタイラス（ｓｔｙｌｕｓ）２４を有する穿刺器具（needle）２３を用いて、円柱状の組織試料（tissue  sample）２２をボーリング採取する。
【００７１】
採取した組織試料２２を、ピンセット１８で摘み、図１９に示すように、アレイヤーゲル１９ｃの所定のインデックス（配列の経度緯度） ２６の位置、例えば、ａ０〜ａ９、ｂ０〜ｂ９、の挿入孔１９ｂに順次収納する。なお、前記アレイヤーゲル１９ｃは、図１７（Ｂ）の、内枠１２を外した状態のアレイヤーゲルであり、台紙１３側を上にして包埋皿３４の底部に載せられている。
【００７２】
図２０（Ａ）に示すように、包埋皿３４に包埋剤（パラフィン）３０を充填し、完全に包埋剤３０を熔解してゲルカセット１２０の基体１４を載せ、テッシュアレイヤーゲルカセットブロック（以下、「アレイヤーブロック」、という）２５を形成する。図２０（Ｂ）は、アレイヤーブロック２５から包埋皿３４を外した状態を示す。
【００７３】
アレイヤーブロックの薄切り：
図２１に示すように、包埋皿３４を外したアレイヤーブロック２５（図２０（Ｂ）参照）の基体１４を、薄切用ミクロトームアダプター２７に固定し、ミクロトーム刃２７ａを摺動させて薄切りし、テッシュアレイヤーパラフイン切片（以下、「切片」という）２８を得る。なお、２７ｂは、切片採取用ナメシである。
【００７４】
図２２は、スライドグラス５７に載置した、切片２８の完成品を示す平面図であるが、図２２（Ａ）はパラフイン切片未染色スライドを示し、同図（Ｂ）は脱パラフイン未染色スライドを示す。又、同図（Ｃ）は染色済スライドをカバーグラス２９で封入したものであるが、該ゲルは、殆ど染まらない。
【００７５】
前記アレイヤーゲル１９ａの構造は、包埋剤の浸透が良く、生物組織と同様な浸透性があり、その組成はグルコマンナンからの修飾誘導体であり、炭水化物繊維の網目状構造体で、その分子構造の付属基を修飾してPAS染色やアルシアン青染色等にも染まらなくしてある固定包埋支持剤１９を、細胞組織試料を収納できる柱状の穴を縦横規則正しく配列した固定ゲル化剤で、方形にゲル化硬化させた固定包埋支持剤１９である。
【００７６】
また、ゲル化硬化時の収縮率も少なく、良く生物細胞組織試料を保持して、薄切時には包埋剤と生物細胞組織と一緒に均一に切れるので、脱水・脱脂・透徹・包埋剤浸透時の生物試料の混入流出防止と位置決めと形状保持には最高の能力を発揮する。故に、図示していないが、例えば多くの細胞組織等の微細試料を脱水・脱脂・透徹・包埋剤浸透前のアレイヤーゲル１９ａの所定のインデックス（ index） の位置の試料収納穴に順次収納して後に試料収納穴の上から固定包埋支持剤で穴を塞いだ後に、脱水・脱脂・透徹・包埋剤浸透の薬液処理をして薄切して染色封入すると、多くの微細試料標本の配列したスライド標本の作製ができる。また、この時パラフィン包埋のみのブロックより、薄切・伸展・乾燥時の試料の位置ズレや歪みが アレイヤーゲル１９ｃの存在により少ない。
【００７７】
前述のように、多くの細胞組織試料パラフィンブロック ２０から、穿刺器具（needle）２３を用いて円柱状にボーリング採取された試料（tissue  sample） ２２を、脱水・脱脂・透徹・包埋剤浸透を事前に済ませてあるアレイヤーゲル１９ｃの所定のインデックス２６の位置の試料挿入孔１９ｂに、順次収納して後に一旦パラフィンを完全に融解することができるので、例え試料ブロック作製時期や作製施設が異なって包埋剤であるパラフィン等の薬液の馴染みが違っていても、全ての試料の条件が均一の性状に近くなり、均一に薄切できる。
【００７８】
この時、パラフィン包埋のみのブロックより、薄切・伸展・乾燥時の試料の位置ズレや歪みがアレイヤーゲル１９ｃの存在により少ない。また、この包埋剤の浸透したアレイヤーゲル１９ｃは、室温で十分保存できる。
【００７９】
次に、前記器具１００，１２０を用いて、希薄脆弱細胞組織試料、例えば、鶏胚・培養細胞群・他膜状試料・単細胞状微小試料塊等（以下、「希薄試料」という）、を包埋支持する場合を、図２３〜図２６により説明するが、前記各図と同一図面符号はその名称も機能も同一である。
図２３（Ａ）（Ｂ）に示すように、ゼリー化槽１の固定底板１ａは、型枠パッキン２を介して合成樹脂スライド３に、水密に重合されており、ゼリー化槽内の希薄試料３２は固定液３１で固定されている。
【００８０】
図２４（Ａ）（Ｂ）に示すように、前記希薄試料３２を包埋支持剤１９で包埋支持した後、図２５（Ａ）（Ｂ）に示すように、合成樹脂スライド３上の希薄試料３２をピンセット１８で挟み、該スライド３から離す。この時、合成樹脂スライド３と固定包埋支持剤１９とは、離合性があり、希薄試料３２を、固定包埋支持剤１９で支持して固定ゲル化剤１７でゲル化されているので、固定包埋支持剤１９に希薄試料３２が保持されたフイルム状のゲル（ゲルフイルム）３３が自然剥離してくる。また、この固定包埋支持剤１９をゲル化固化したゲルフィルムは、水平方向にも縦方向または横方向にも薄切できる。
【００８１】
図２６（Ａ）（Ｂ）に示すように、ゲルカセット１２０の基体１４の底部１４Ａに収納する。この時、型枠パッキン２の形状により基準マーク１２ａができるので、希薄試料３２の包埋方向が判り統一できる。この基体の底部１４Ａ内のゲルフイルム３３は、図２６（Ｃ）に示す様に、通常用いられているスタンダードカセット１１ａにも収容し、蓋１４をしても良い。その後、前記と同様な要領で薬液処理等などが行われる。
【００８２】
次に、前記器具１００，１２０を用いて、針穿刺生検試料（needle biopsy） ３７を固定包埋支持する場合について、図２７〜図３０を用いて説明するが、前記各図の図面符号と同一図面符号は、その名称も機能も同一である。
図２７（Ａ）（Ｂ）に示すように、ゼリー化槽１の固定底板１ａは、型枠パッキン２を介して合成樹脂スライド３に、水密に重合されており、ゼリー化槽１内の針穿刺生検試料３７は固定液３１で固定されている。前記型枠パッキン２には、複数の小孔（縦溝）２ｂが形成されているが、必ず縦溝２ｂである必要はなく、１個の穴でもよい。
【００８３】
図２８（Ａ）（Ｂ）に示すように、針穿刺生検試料３７を包埋支持剤１９で包埋支持した後、固定ゲル化槽装置１００を分解して、合成樹脂スライド３を取り出す。この時、針穿刺生検試料３７は包埋支持固化されて、図２９（Ａ）（Ｂ）に示すような状態となっている。前記合成樹脂スライド３上の針穿刺生検試料３７をピンセット１８で挟み、該合成樹脂スライド３から離す。
次に、図３０に示すように、スタンダードカセットの基体１１ａの底部に収納する。この時、型枠パッキン２の形状により基準マーク１２ａができるので、前記試料３７の包埋方向が判り統一できる。その後、前記と同様な要領で薬液処理等などが行われる。
【００８４】
この様に固定ゼリーゲル化槽装置１００のゼリーゲル化槽１の底部は、型枠パッキン ２と合成樹脂スライド ３を用いて、固定包埋支持剤１９を併用すると、針穿刺生検試料３７の包埋支持ができ、試料の混入・折れ破壊・紛失のない、一個の試料としての取り扱いができる。
【００８５】
変型例：
この針穿刺生検試料３７は、次のようにしても固定包埋支持することができる。
以下その方法を図面により説明するが、前記各図と同一図面符号は、その名称も機能も同一である。
図３１に示すように、固定ゼリー化槽装置１００の底板保持器５の底部５Ａのカセット収納部５ｂには、スタンダードカセット１１ａが装着されており、該カセット１１ａの底部内には、ゲル台紙１３ａが敷設されている。
【００８６】
この台紙１３ａは、カセット型内枠１２により押さえられており、又、該カセット１１ａからはみ出している部分は、上下の型枠パッキン２、２ａにより挟持されている。前記カセット型内枠１２には、複数の仕切部１２ｍが設けられ、各仕切部１２ｍ間には、針穿刺生検試料３７が挿入されている。
【００８７】
この装置では、ゲル台紙１３aを固定ゲル化剤 １７で事前に濡らしておくと、台紙 １３aに載置されている針穿刺生検試料３７の上から、固定包埋支持剤１９を注入してゲル化剤 でゲル化固化してから、脱水・脱脂・透徹・包埋剤浸透等の薬液処理を実施しても、ゲル台紙 １３aと固定包埋支持剤 １９とは離合性が生じて良く分離する。
【００８８】
なお、針穿刺生検試料３７を標本にする場合には、次のような問題が発生することがある。即ち、
Ａ：細長い試料の形状破壊と混入・入れ替わり・紛失、
Ｂ：細長い試料の立体的捩れ螺旋構造や波うち構造による二次元平面の欠如 ４６a（図３２（Ａ）参照）。
【００８９】
そこで、前記問題を解決するため、図２７〜図３０に示す前記針穿刺生検試料 ３７の包埋支持方法では、図３４に示すような遠心分離器ホルダ４５を利用して、図３４に示すように、軽い遠心法を用いる。この方法によると、 図３２（Ａ）（Ｂ） に示すように、遠心力（伸展力）４６の働きにより、針穿刺生検試料 ３７の二次元平面の欠如４６ａを無くし、合成樹脂スライド ３の平面上に該試料３７を伸ばして包埋支持することができる。なお、図３３，図３４において、４１は長辺側壁、４２は遠心分離器用ホルダー短辺側壁、４３はゼリーゲル化槽底板保持器底部収納部、４４は廃液孔、をそれぞれ示す。
【００９０】
また、前記問題を解決するために、図３１に示す前記針生検試料の包埋支持法では、図３５に示すように、濾過法を用いる。この方法によると、固定ゲル化剤 １７を底部のゲル台紙 １３ａを通して濾過排出して、その流水の力（伸展力）４６で 、図３２（Ａ）（Ｂ）に示すように、二次元平面の欠如 ４６ａを無くし、その後該試料を固定包埋支持剤１９で包埋支持することができる。なお、図３５において、５４は廃液孔４４から落下する濾過廃液を示す。
【００９１】
ＥＭＲ試料３８の標本作製：
図３６、図３７に示す如く、EMR試料 ３８の確実な標本作製を保障するために、前記針穿刺生検 ３７の手法（図２７〜図３０）を用いことができる（第１の方法）。この方法は、先に切り出し（トリミング）をするが、それらを従来の分画カセットに順番に収納する必要はなく、一塊になっているので従来の汎用カセットを使用することができ、包埋時にも試料の移動は一回で良く簡単に包埋できる。図３６に示すように、ＥＭＲ試料３８を切り出し、図３７に示すように、合成樹脂スライドから型枠パッキン２を装着した固定ゼリーゲル化槽装置１００の底部５Ａに薄切検査面を下にして順次並べて包埋支持剤１９で包埋支持する。
【００９２】
図３６、図３７において、３８ａは切り出し（トリミング）されたＥＭＲ試料、３９はメス、３９ａは切り出し台、をそれぞれ示す。
【００９３】
又、図３８〜図４１に示す如く、ＥＭＲ試料３８の標本作製を作製するために、前記希薄脆弱試料 ３２の手法（図２３〜図２６、図２７〜図３０）を用いることもできる。これは、EMR試料３８の不規則な凹凸のある周囲の断端部の情報を確実に標本上に出す為に、図３８に示すように、合成樹脂スライド３にEMR試料３８を乗せ、該合成樹脂スライド３を固定容器３１ｖ内に収納し、該試料３８の上から固定包埋支持剤１９を滴下し、ゲル化剤を注ぎ込み該試料３８の全てを包み込むように予め固定包埋支持剤１９で包埋支持する。図３９に示すように、包埋支持剤で保持された固定済みＥＭＲ試料３８を所定のカセット１１ａの底部に収納し、脱水から包埋剤浸透の薬液処理をする。
【００９４】
図４０に示すように、前記ＥＭＲ試料３８を切り出し台３９ａ上に移し、メス３９で切り出しトリミングする。前記切り出し時において、ＥＭＲ試料３８の周囲を固定包埋支持剤１９で保持をしておくと、図４１（Ａ）に示すように、切り出しトリミング時に、分離孤立した組織パーツ３８ａができない。そして、包埋皿に包埋するときには、その組織パーツ３８ａの断端部の情報を二次元の標本上に正確に反映することを保障する。
なお、図４１（Ｂ）は、、ＥＭＲ試料３８の周囲を固定包埋支持剤で保持しない場合であり、組織パーツ３８ａが変形し、バラバラとなっている。
【００９５】
図４２に示すように、組織パーツ３８ａをピンセット１８で挟み、包埋皿３４に移して固定包埋剤１９で包埋固定する。
【００９６】
図４３に示すように、前記包埋支持剤１９で保持された組織パーツ３８ａを固定ゼリーゲル化槽装置１００のゼリーゲル化槽１内で薄切検査面を下にして順次並べる。その後、少量のホルマリンを静かに注入して前記パーツ３８ａの周囲のゲルを再度ゾル化し、後に新しい固定包埋支持剤を滴下補充して緩やかに固定ゲル化剤を注入すると、図３７と同様に一体的な試料となる。
【００９７】
固定ゼリーゲル化槽装置等のその他の使用方法：
図４４、図４５に示すように、固定ゼリーゲル化槽装置１００は、鉗子生検試料 ４９を内視鏡室から病理検査室までの固定移送容器と、鉗子生検試料 ４９のV字谷収納部 ４８aと 鉗子生検試料薄切検査面 ４７の中心線を出す為の生検固定収納装置と、固定包埋支持剤１９の固定ゲル化操作器具として、使用出来る。
【００９８】
この固定移送容器兼固定ゲル化操作器具としての固定ゼリーゲル化槽装置１００の機能構造は、ゼリーゲル化槽１の底部は型枠パッキン２と合成樹脂スライド３が水密な構造を保っており、該型枠パッキン２の型枠内に嵌合するカセット型内枠１２を備えている。また、ゼリーゲル化槽１の開口部１cの蓋４とで細胞組織試料の固定移送容器にもなっている。なお、図４５において、５０は裏打ち用紙、５１は生検試料の位置番号、をそれぞれ示す。
【００９９】
図４６（Ａ）に示すように、鉗子生検試料 ４９を、ゼリーゲル化槽 １の底部の前記 カセット 型内枠 １２の内側と前記記録台紙 ４８の間に形作られるV字谷収納部 ４８ａに収納し、その後上から前記固定包埋支持剤１９を鉗子生検試料 ４９の収納部に滴下する。次に、図４６（Ｂ）に示すように、固定ゲル化剤 １７をゼリーゲル化槽１の開口部１ｃ内に注ぎ込み、V字谷収納部 ４８ａに順次並べられた各々の生検の中心線（薄切検査面）が略一致するようにして、鉗子生検試料 ４９を、固定包埋支持剤１９で包埋支持保持するように前記記録台紙 ４８の端と連結して固定ゲル化剤１７でゲル化固化させる。
【０１００】
図４７〜図５０に示すように、前記図４６に示す固定ゼリーゲル化槽装置１００のゼリーゲル化槽１内の固定包埋支持剤１９でゲル化固化連結された前記鉗子生検試料 ４９と、前記記録台紙 ４８を前記 カセット型内枠 １２内に収まった形式で取り出して、所定のカセット基体底部（例えば、本件発明者の発明に係る特許第３００８０７８号、特願２００２−２９０５３４号、の窓口付きカセット等）に収納して脱水・脱脂・透徹・包埋剤浸透等の薬液処理をする。
【０１０１】
図４８〜図５０は、窓口付きカセット５２の底部内に固定包埋支持剤１９でゲル化固化連結された前記鉗子生検試料 ４９と、前記記録台紙 ４８が収納された前記カセット型内枠 １２と、窓口（支持）枠兼仕切補強壁収納壁（外側突出）５２ｂと、窓口（支持）枠兼仕切補強壁収納壁（内側突出）５２ｃとの位置関係と形状変化を示している。
【０１０２】
窓口５２ａから該カセット型内枠 １２内に嵌合収納された該記録台紙４８に、固定包埋支持剤１９で包埋支持されて連結された生検試料４９を挿入包埋される為には、窓口 ５２ａの長辺側の長さは、前記記録台紙 ４８、即ち、前記 カセット型内枠 １２の内側長辺の長さと同じ以上でなければならない。故に窓口（支持）枠兼仕切補強壁収納壁（外側突出）５２ｂ場合は、該カセット型内枠 １２は形状変化の必要はないが、窓口（支持）枠兼仕切補強壁収納壁（内側突出）５２ｃの場合には、図４９の（２）と図５０の２種類の形状変化が考えられる。
【０１０３】
図５１〜図５３に示すように、図４７〜図５０の薬液処理が終了して包埋剤浸透完了後の固定包埋支持剤 １９でゲル化固化連結された前記鉗子生検試料 ４９と、前記記録台紙 ４８を、窓口付きカセット ５２底部の窓口 ５２ａから包埋皿３４やバリ無し包埋枠３４ａの底面に設置する。この包埋皿３４をコールドプレートに移して保持後、上から包埋剤 ３０（例えばパラフィン等）を静かに注いで再度コールドプレートに静置して、複数の該鉗子生検試料 ４９を、固定包埋支持剤１９で一個の試料として取り扱ったブロック試料を作製する。
【０１０４】
この発明は上述の通りであり、包埋支持剤（Hold Gel）の固定ゲル化剤によるゲル化固化能力とそのゲル化固化時の台紙とポリビニールアルコールと合成樹脂スライドとスライドグラスとの接着力と離合力の違いを利用した種々の形状性状の生物試料の確実な包埋支持保持法と テッシュアレイ（Tissue array） やセルブロックアレイ（ cell block array） を作製する テッシュアレイヤーゲル（Tissue Arrayer Gel） と セルアレイヤーゲル（Cell Block Arrayer Gel） の提案とそれらのアレイヤーゲル（Arrayer Gel） を製造し、且、種々の形状性状の生物試料を固定移送包埋支持する統一的固定ゲル化移送装置（容器）と器具を提案するものである。
【０１０５】
この固定ゼリーゲル化槽装置（容器）１００の底部側の底板保持器５には、テッシュアレイヤーゲル１９aを作製する機能を持つゲルカセット１２０や、従来のカセット１１ａや薄型カセット１１等のカセットも収納することが出来、又、合成樹脂スライド ３やスライドグラス ５７等の薄い板状構造も収納することが出来る。この前記の底板保持器５の上側に収納セットされる機能によって、前記の固定ゼリーゲル化槽装置（容器）１００の働きと機能が多変化する。
【０１０６】
この発明は、本発明者が発明し出願した包埋支持剤を使用する上で、（１）)事前に固定ゼリーゲル化槽装置（容器）１００の底部側の底板保持器５の所定の箇所にゲルカセットの基本的組み合わせ（カセット底部１４とカセット型内枠１２とゲル台紙１３とゲル作製ピン１５）を収納セットし、ゲル台紙１３はカセット底部 １４とカセット型内枠１２とで挟持されていて、それら全ての多孔には同径の ゲル作製ピン１５が装填されているゲルカセットの底部 １４の開口部から固定包埋支持剤 １９を滴下注入する。
【０１０７】
その次に、固定ゼリーゲル化槽装置（容器）１００のゼリーゲル化槽開口部 １ｃから固定ゲル化剤 １７を静かに注ぎ込み溜める。すると、固定包埋支持剤 １９がゲル化固化して テッシュレイヤーゲル１９ａの原型ができる。この時、固定包埋支持剤 １９を固定ゲル化剤 １７でゲル化固化するのには、固定ゲル化剤 １７をゼリーゲル化槽 １内に注ぎ入れるのみではなくて、固定ゼリーゲル化槽装置（容器）１００全体を固定ゲル化剤 １７に漬ける方が固定ゲル化剤１９のゲル化固化が早く綺麗にできる。
【０１０８】
このようにして作製されたテッシュアレイヤーゲル１９ａの原型をゲルカセットの底部１４のカセット型内枠１２とゲル台紙１３の中に収納したままゲル作製ピン１５を抜き取り、カセット蓋１４ａ．をして脱水・脱脂・透徹・包埋剤浸透等の薬液処理を実施する。この時、方形のカセット型内枠１２内周の大きさでそれに合う包埋皿で包埋すると、丁度良くブロック試料になれるゲル台紙１３が確実に接着した包埋剤 ３０が浸透して長期保存が出来るテッシュアレイヤーゲル１９ｃが完成する。
【０１０９】
またこのテッシュアレイヤーゲル１９ｃは、使用目的によって縦横に規則正しく 試料 挿入孔１９ｂが開けられており、その径は統一されて管理されている。またテッシュアレイヤーゲルの作製時のゲルカセット底面側に位置するゲル台紙１３が、テッシュアレイヤーゲルの片面に接着していてゲルを補強し、そのゲル台紙１３にはテッシュアレイヤーゲルと同様同径な試料挿入孔１９ｂが開けられていて、そこには縦横に インデックスが付されている。
【０１１０】
また、テッシュレイヤーゲルの保存には、包埋剤 ３０．を浸透したテッシュレイヤーゲル１９ｃの方が長持ちして良いのは確かであるが、使用目的の違いで時には包埋剤 ３０を浸透させていないで固定ゲル化剤 １７に浸漬して保存するテッシュレイヤーゲル１９ａも使用すべきである。勿論、このテッシュレイヤーゲル１９ａの 試料挿入孔 １９ｂには、脱水・脱脂から包埋剤浸透等の薬液処理をしていない試料を挿入収納する。
【０１１１】
この包埋剤浸透済のテッシュアレイヤーゲル１９ｃの包埋作業でゲルカセットのアレイヤーブロック作製時には、各ブロック試料作製時の試薬や時間条件の違いによる アレイヤーブロックの各々の試料２２（セルブロックサンプル２２ａ）と包埋剤 ３０の馴染みの不和における薄切時の切片の剥離現象は、テッシュレイヤーゲル１９ｃを使用すると、完全に包埋剤を熔解できるので緩和できる。
【０１１２】
この包埋剤浸透済のテッシュアレイヤーゲル１９ｃで作製したアレイブロックの薄切切片には、包埋剤 ３０の他に同時に薄切されたテッシュアレイヤーゲル１９ｃが染まってはいないが、切片と同じ厚さで各々の試料 ２２（セルブロックサンプル２２ａ）の周囲に存在しており、故に包埋剤のみの アレイスライド（Array Slide）より伸展乾燥時の熱による切片の歪み膨化が少ない。
【０１１３】
また、テッシュアレイヤーゲルには、ゲル基準マークが印されており、インデックスの基準点になり、切片を左右非対称にしてそのスライドグラス ５７への貼り付け向きを統一できる。特にセルブロックアレイは、包埋支持剤とそれからつくられるセルブロックアレイゲルを使用しないと、試料の混入・入れ替わり移動の恐れがあり作製できない。
【０１１４】
更にまた、この固定ゼリーゲル化槽装置（容器）１００の底部側の底板保持器５．には、ゲルカセット底部の他に従来のカセット１１ａや薄型カセット１１等のカセットや合成樹脂スライド状の板状構造物も収納することが出来る。これらのカセット底部に収納設置するゲル台紙 １３ａとカセット内枠 １２(分画または一個の全画内側の形状面積はゼリーゲル化槽 １の底面積に合わせる。) や、板状の合成樹脂スライド ３やスライドグラス ５７を使用して固定包埋支持剤１９を併用すると、従来殆どまたは完全な標本作製が出来なかった希薄脆弱細胞組織試料（例えば、鶏胚・培養細胞群・他膜状試料・単細胞状微小試料塊等）や周辺部不整形シート状試料（EMR試料等）や糸状棒状試料（針穿刺生検 ３７．）や、鉗子生検試料のＶ字谷収納法等の種々の性状形状の試料の完全な標本作製可能になる。
【０１１５】
更にまた、前記ゼリーゲル化槽固定底板 １ａと型枠パッキン ２とスライドグラス ５７と底板保持器５とから成る固定ゼリーゲル化槽装置（容器）１００を使用して細胞診断学用液状試料 ５３をゼリーゲル化槽 １内に入れて遠心分離器用ホルダーに収納セットして汎用遠心分離器にかけて遠心分離すると、前記スライドグラス ５７上に細胞試料を遠心塗抹することができる。
【図面の簡単な説明】
【０１１６】
【図１】この発明の固定ゼリーゲル化槽装置の実施形態を示す斜面図である。
【図２】図１の固定ゼリーゲル化槽装置のパーツを示す平面図である。
【図３】図３（Ａ）は、本発明のテッシュアレイヤーゲルカセットの実施例を示す平面図、図３（Ｂ）は図３（Ａ）の縦断面図である。
【図４】図４（Ａ）は、図３のテッシュアレイヤーゲルカセットの各部品を示す平面図で、図４（Ｂ）は図４（Ａ）の各部品を示す縦断面図である。
【図５】図５（Ａ）及び図５（Ｂ）は、固定ゼリー化槽装置の他の実施例を示す縦断面図である。
【図６】図６（Ａ）及び図６（Ｂ）は、固定ゼリー化槽装置の他の実施例を示す縦断面図である。
【図７】固定ゼリー化槽装置の他の実施例を示す斜視図である。
【図８】固定ゼリー化槽装置の他の実施例を示す斜視図である。
【図９】固定ゼリー化槽装置の他の実施例を示す斜視図である。
【図１０】固定ゼリー化槽装置の他の実施例を示す斜視図である。
【図１１】固定ゼリー化槽装置の他の実施例を示す斜視図である。
【図１２】図１２（Ａ）は、本発明のテッシュアレイヤーゲルカセットの他の実施例を示す平面図、図１２（Ｂ）は図１２（Ａ）の縦断面図である。
【図１３】図１３（Ａ）は、図１２のテッシュアレイヤーゲルカセットの各部品を示す平面図で、図１３（Ｂ）は図１２（Ａ）の各部品を示す縦断面図である。
【図１４】固定固化容器の使用状態を示す縦断面図である。
【図１５】本発明の他の実施例を示す縦断面図である。
【図１６】本発明の実施例を示す平面図である。
【図１７】テッシュアレイヤーゲルを示す平面図である。
【図１８】目的のテッシュサンプルを採取している状態を示す斜視図である。
【図１９】採取したテッシュサンプルをテッシュアレイヤーゲルカセットの挿入孔に収納している状態をします斜視図である。
【図２０】テッシュアレイヤーブロックを示す平面図で、図２０(A)は包埋皿に収納している状態を示す平面図、図２０（Ｂ）は包埋皿を外した状態のテッシュアレイヤーブロックを示す平面図である。
【図２１】アレイヤーブロックを薄切りしている状態を示す斜視図である。
【図２２】スライドグラス上に載置されたテッシュアレイヤースライドの完成品（切片）を示す平面図で、図２１（Ａ）は、パラフィン切片未染色スライド、図２１（Ｂ）は、脱パラフィン切片未染色スライド、図２１（Ｃ）は、染色封入済スライド、を示す。
【図２３】図２３（Ａ）は、固定ゼリーゲル化槽装置での希薄試料の固定移送状態を示す断面図、同（Ｂ）は、蓋を外した状態の平面図である。
【図２４】図２４（Ａ）は希薄試料のスライド上での伸展と包埋支持状態を示す断面図、同（Ｂ）は蓋を外した状態の平面図である。
【図２５】図２５（Ａ）は合成樹脂スライドから、ゲルフイルムに包まれた希薄試料を離している状態を示す側面図、同（Ｂ）は平面図である。
【図２６】図２６（Ａ）はゲルフイルムをカセット底部に収納している状態を示す斜視図、同（Ｂ）は縦断面図、同（Ｃ）は平面図である。
【図２７】図２７（Ａ）は固定ゼリーゲル化槽装置を用いて、針穿刺生検試料を固定している状態を示す平面図、同（Ｂ）は縦断面図である。
【図２８】図２８（Ａ）は固定ゼリーゲル化槽装置を用いて、針穿刺生検試料を包埋固定支持する状態を示す平面図、同（Ｂ）は縦断面図である。
【図２９】図２９（Ａ）は固定ゼリーゲル化槽装置を解体して取り出された合成樹脂スライドを示す平面図、同（Ｂ）は図２９（Ａ）のIV-IV線断面図である。
【図３０】包埋支持された針穿刺生検試料を、所定のカセット底部に収納した状態を示す平面図である。
【図３１】固定ゼリーゲル化槽装置の他の実施例を示す縦断面図である。
【図３２】図３２（Ａ）は二次元平面の欠如する切片を縦断面図、同（Ｂ）は平坦状になった切片を示す縦断面図である。
【図３３】図３３（Ａ）は遠心分離器ホルダーの平面図、同（Ｂ）は図３３のVIII-VIII断面図、同（Ｃ）は図３３のVII-VII断面図である。
【図３４】遠心法を実施している状態を示す縦断面である。
【図３５】濾過法を実施している状態を示す縦断面図である。
【図３６】ＥＭＲ試料の切り出し状態を示す平面図である。
【図３７】図３７（Ａ）は切り出された固定済のＥＭＲ試料を、固定ゼリーゲル化槽装置底部に並べ包埋支持剤で包埋支持している状態を示す縦断面図、同（Ｂ）は平面図である。
【図３８】ＥＭＲ試料を合成樹脂スライド等上で包埋支持する状態を示す斜視図である。
【図３９】包埋支持されたＥＭＲ試料を所定のカセット底部に収納した状態を示す平面図である。
【図４０】ＥＭＲ試料の切り出し状態を示す斜視図である。
【図４１】図４１（Ａ）はＥＭＲ試料を包埋支持した場合、同（Ｂ）は、包埋支持しなかった場合の切片の状態を示す斜視図である。
【図４２】包埋支持されたＥＭＲ試料の包埋作業状態を示す斜視図である。
【図４３】図４３（Ａ）は包埋作業を示す縦断面図、図４３（Ｂ）は斜視図である。
【図４４】固定ゼリーゲル化槽装置とＶ字収納部とを示す斜視図である。
【図４５】固定ゼリーゲル化槽装置の固定液に鉗子生検を浸漬固定している状態を示す斜視図である。
【図４６】生検試料を溝に並べて固定包埋支持する状態を示す斜視図である。
【図４７】固定ゼリーゲル化槽装置から生検を収納保持しているカセット型内枠を取り出している状態を示す図である。
【図４８】生検を固定包埋支持しているカセット型内枠を所定のカセット底部に収納している状態を示す図である。
【図４９】カセット型内枠をカセットに収納した状態を示す図である。
【図５０】他の実施例を示す図である。
【図５１】図４９乃至図５０の包埋作業を示す図である。
【図５２】図５１の他の実施例を示す縦断面図である。
【図５３】図５１乃至図５２の他の実施例を示す平面図である。
【符号の説明】
【０１１７】
１００      固定ゼリーゲル化槽装置（容器）
１          ゼリーゲル化槽
１ａ        ゼリーゲル化槽固定底板
１ｂ        基準マーク
１ｃ        ゼリーゲル化槽開口部
２          型枠パッキン
３          平板スライド
５          底板保持器
５Ａ        底板保持器底部
１２        カセット型内枠
１２ａ      ゲル基準マーク
１２ｂ      内枠取り出し口
１３        ゲル台紙
１４         枠状基体
１５        ゲル作製ピン
１６        固定容器
１７      （固定）ゲル化剤
１９        固定包埋支持剤（Hold Gel）
１９ａ      テッシュアレイヤーゲル
１９ｂ      組織試料挿入孔
１９ｃ      包埋剤が浸透したテッシュアレイヤーゲル
３０        包埋剤
３１        固定液
３２        希薄試料
３３        ゲルフィルム
３４        包埋皿
３７        針生検試料
３８        EMR試料
４６ａ      二次元平面の欠如
４７        薄切検査面
４８        記録台紙
４８ａ      Ｖ字谷収納部
４９        鉗子生検
４９ａ      包埋支持された生検試料
４９ｂ      薄切染色された鉗子生検試料
【図１】
2006300667.tif 000003
【図２】
2006300667.tif 000004
【図３】
2006300667.tif 000005
【図４】
2006300667.tif 000006
【図５】
2006300667.tif 000007
【図６】
2006300667.tif 000008
【図７】
2006300667.tif 000009
【図８】
2006300667.tif 000010
【図９】
2006300667.tif 000011
【図１０】
2006300667.tif 000012
【図１１】
2006300667.tif 000013
【図１２】
2006300667.tif 000014
【図１３】
2006300667.tif 000015
【図１４】
2006300667.tif 000016
【図１５】
2006300667.tif 000017
【図１６】
2006300667.tif 000018
【図１７】
2006300667.tif 000019
【図１８】
2006300667.tif 000020
【図１９】
2006300667.tif 000021
【図２０】
2006300667.tif 000022
【図２１】
2006300667.tif 000023
【図２２】
2006300667.tif 000024
【図２３】
2006300667.tif 000025
【図２４】
2006300667.tif 000026
【図２５】
2006300667.tif 000027
【図２６】
2006300667.tif 000028
【図２７】
2006300667.tif 000029
【図２８】
2006300667.tif 000030
【図２９】
2006300667.tif 000031
【図３０】
2006300667.tif 000032
【図３１】
2006300667.tif 000033
【図３２】
2006300667.tif 000034
【図３３】
2006300667.tif 000035
【図３４】
2006300667.tif 000036
【図３５】
2006300667.tif 000037
【図３６】
2006300667.tif 000038
【図３７】
2006300667.tif 000039
【図３８】
2006300667.tif 000040
【図３９】
2006300667.tif 000041
【図４０】
2006300667.tif 000042
【図４１】
2006300667.tif 000043
【図４２】
2006300667.tif 000044
【図４３】
2006300667.tif 000045
【図４４】
2006300667.tif 000046
【図４５】
2006300667.tif 000047
【図４６】
2006300667.tif 000048
【図４７】
2006300667.tif 000049
【図４８】
2006300667.tif 000050
【図４９】
2006300667.tif 000051
【図５０】
2006300667.tif 000052
【図５１】
2006300667.tif 000053
【図５２】
2006300667.tif 000054
【図５３】
2006300667.tif 000055